(57)【要約】【課題】テープ幅が予め規定された複数仕様のキャリアテープに対して粘着テープを容易に貼り付けることが可能なキャリアテープ接続治具を提供する。【解決手段】キャリアテープ接続治具は、キャリアテープ１の幅に応じて形成したキャリアテープ１を載置する段部の形成されたアタッチメント２１を貼付け台２２の凹部に装着するよう構成されている。すなわち、キャリアテープ１の幅に応じた段部の形成された複数種類のアタッチメント２１を交換することにより、キャリアテープ１の接続端部同士を容易に接続することができる。【選択図】図５
2016001649.tif 000002
【特許請求の範囲】
【請求項１】
突き合わされたキャリアテープの端部同士を粘着テープで接続するキャリアテープ接続治具であって、
前記キャリアテープの幅に応じて形成した当該キャリアテープを載置する段部を有するアタッチメントと、
前記アタッチメントを収納する凹部を有する貼付け台と、
を備えたことを特徴とするキャリアテープ接続治具。
【請求項２】
請求項１に記載のキャリアテープ接続治具において、
前記粘着テープは、当該粘着テープの長さおよび幅よりも大きいセパレータに添設されており、
前記貼付け台は、アタッチメントの上段側の端縁沿いにセパレータに形成された位置決め孔を挿入する位置決めピンを有するとともに、
キャリアテープ接続部分の前後にわたってアタッチメントの下段側の側壁を粘着テープの幅以上に切り欠いた粘着テープを折り曲げるガイド部を有する
ことを特徴とするキャリアテープ接続治具。
【請求項３】
請求項１または請求項２に記載のキャリアテープ接続治具において、  
前記貼付け台とアタッチメントによって収納されたキャリアテープを把持する把持機構を備えた
ことを特徴とするキャリアテープ接続治具。
【請求項４】
請求項１ないし請求項３のいずれかに記載のキャリアテープ接続治具において、  
前記アタッチメントは、キャリアテープの載置面を上向きに付勢する弾性体を有する
ことを特徴とするキャリアテープ接続治具。
【発明の詳細な説明】
【技術分野】
【０００１】
本発明はチップ部品などの電子部品を電子部品実装装置へ供給するキャリアテープの端部同士を付き合せ接続するキャリアテープ接続治具に関する。
【背景技術】
【０００２】
粘着テープを利用したキャリアテープの端部同士の接続するために、次のような治具が提案されている。すなわち、一対の固定側治具と移動側治具のそれぞれに形成された位置決め用の溝にキャリアテープを装着する。このとき、溝に立設された位置決ピンにキャリアテープの送り孔を挿嵌して支持する。この状態で切断ユニットを回動させて両キャリアテープの一方の先端および他方の後端のそれぞれの送り孔の中心を交差するようカッタユニットで切断する。その後、移動側治具を水平または前後に移動させて固定側治具を突き合わせることにより、両キャリアアテープの端部同士が突き合わされ、当該状態で突き合わせ箇所の表面と裏面にそれぞれに粘着テープを貼り付けている（特許文献１を参照）。
【特許文献１】特開２００４−１６１４２０号公報
【発明の概要】
【発明が解決しようとする課題】
【０００３】
しかしながら、上記接続治具では、各治具の溝内に位置決ピンを設けているので、治具自体の構成が複雑となっているばかりでなく、複数仕様を有するキャリアテープに応じた固定側治具および移動側治具の両治具自体を用意しなければならない。したがって、費用および管理上において不都合が生じている。
【０００４】
また、固定側治具と移動側治具の溝に収まったキャリアテープのトップテープ側にテープを貼り付けた後に、当該接続治具からキャリアテープを取り外して別のテープをキャリアテープの裏面にも貼り付けている。したがって、キャリアテープの表面と裏面への粘着テープの貼り付けを２回に分けて行わなければならず、作業が煩雑になっている。
【０００５】
本発明はこのような実情に着目してなされたものであって、キャリアテープの仕様に関わりなく、一台の治具でキャリアテープの突き合わせ部分に粘着テープを容易かつ精度よく貼り付けることを可能にするキャリアテープ接続治具を提供することを主たる目的としている。
【課題を解決するための手段】
【０００６】
この発明は、このような目的を達成するために、次のような構成をとる。
すなわち、本発明は、突き合わされたキャリアテープの端部同士を粘着テープで接続するキャリアテープ接続治具であって、
前記キャリアテープの幅に応じて形成した当該キャリアテープを載置する段部を有するアタッチメントと、
前記アタッチメントを収納する凹部を有する貼付け台と、
を備えたことを特徴とする。
【０００７】
（作用・効果）  この構成によれば、キャリアテープの仕様に応じた複数個のアタッチメントを貼付け台の凹部に組み込むことができる。したがって、一台のキャリアテープ接続治具により、複数仕様のキャリアテープの端部同士に粘着テープを接続することができる。
【０００８】
なお、粘着テープは、当該粘着テープの長さおよび幅よりも大きいセパレータに添設されており、
貼付け台は、アタッチメントの上段側の端縁沿いに粘着テープの添設されたセパレータに形成された位置決め孔を挿入する位置決めピンを有するとともに、
キャリアテープ接続部分の前後にわたってアタッチメントの下段側の側壁を粘着テープの幅以上に切り欠いた粘着テープを折り曲げるガイド部を有することが好ましい。
【０００９】
この構成によれば、セパレータの位置決め孔に位置決めピンを挿入することにより、粘着テープを安定した状態でキャリアテープ接続部位に貼り付けることができる。また、ガイド部でセパレータを折り曲げることにより、一回の貼り付け動作で当該セパレータに添設されている粘着テープをキャリアテープの側辺にも貼り付けることができる。したがって、粘着テープをＬ字状に曲げて接続部位を補強しているので、２回に分けて表面と裏面に粘着テープを貼り付けた従来の接続形態よりも曲応力に対する強度が増している。
【００１０】
また、本発明の他の実施態様は、貼付け台とアタッチメントによって収納されたキャリアテープを把持する把持機構を備えてもよい。
【００１１】
この構成によれば、貼付け台に載置装填したキャリアテープの浮き上がりが阻止されるので、安定した姿勢で接続処理を施すことができる。
【００１２】
また、本発明の他の実施態様は、アタッチメントにおいて、キャリアテープの載置面を上向きに付勢する弾性体を有してもよい。
【００１３】
この構成によれば、エンボステープであるキャリアテープの凸部によって変動する高さ方向のギャップを載置面の昇降によって吸収しながら適度な押圧でキャリアテープ接続部位に粘着テープを貼り付けることができる。
【発明の効果】
【００１４】
本発明のキャリアテープ接続治具によれば、複数仕様のキャリアテープに応じたアタッチメントを貼付け台に適宜に装着することにより、キャリアテープの仕様に関わらず突き合わせた端部同士を含む接続部位に粘着テープの確実かつ強固な接続を行うことができる。
【図面の簡単な説明】
【００１５】
【図１】キャリアテープを表面側から見た斜視図である。
【図２】キャリアテープ接続用フィルムからベースフィルムをめくり取る状態の斜視図である。
【図３】キャリアテープ接続治具の斜視図である。
【図４】アタッチメントの斜視図である。
【図５】キャリアテープ接続治具に粘着テープなどをセットする模式図である。
【図６】貼付け台にアタッチメントを装着した状態を示す斜視図である。
【図７】キャリアテープ接続治具の側面図である。
【図８】貼付け作動を示す要部の平面図である。
【図９】貼付け作動を示す要部の側面図である。
【図１０】貼付け作動を示す要部の側面図である。
【図１１】貼付け作動を示す要部の側面図である。
【図１２】別実施形態のキャリアテープ接続治具の斜視図である。
【図１３】別実施形態のエンボステープの縦断面図である。
【図１４】別実施形形態のアタッチメントの側面図である。
【図１５】別実施形形態のアタッチメントの側面図である。
【図１６】別実施形形態のアタッチメントの側面図である。
【図１７】別実施形態のキャリアテープ接続用フィルムの平面図である。
【図１８】別実施形態のキャリアテープ接続用フィルムの平面図である。
【発明を実施するための形態】
【００１６】
以下、図面を参照して本発明の一実施例説明する。
【００１７】
〔キャリアテープ〕
先ず、本実施例装置で端部同士を貼り合わせるキャリアテープの構造について説明する。
【００１８】
図１に示すように、処理対象となるキャリアテープ１は、ベーステープ１ａ、凹部２、カバーテープ４および送り孔５から構成されている。
【００１９】
凹部２は、ベーステープ１ａの表面にテープ長手方向に一定のピッチで形成されている。各凹部２には、チップ部品である小型の電子部品３が収納される。
【００２０】
カバーテープ４は、各凹部２に電子部品３が収納された状態でベーステープ１ａの表面に貼り合せる。
【００２１】
送り孔５は、ベーステープ１ａの一側辺に沿って所定のピッチで形成されている。したがって、カバーテープ４をベーステープ１ａの表面から剥離して凹部２を開放することにより、収納された電子部品３を取り出すよう構成されている。なお、キャリアテープ１は、一般的にリール巻き状態で電子部品実装装置に装填される。
【００２２】
また、キャリアテープ１の幅はＪＩＳ規格により規定されており、複数の仕様が存在する。そこで、収納される電子部品３のサイズに応じた規格幅のキャリアテープが選択さている。
【００２３】
〔粘着テープ〕
キャリアテープ１の接続に用いる粘着テープ６は、ラベル状の積層フィルムとして供給されるものであり、そのキャリアテープ接続用フィルム１０の外観が図２に示されている。
【００２４】
このキャリアテープ接続用ラベル１０は、表面が剥離面に形成されたベースフィルム１１の表面に粘着テープ６を貼り合せ保持するとともに、その上に透明なアプリケーションテープ１２を貼り合せた３層の積層構造になっている。ベースフィルム１１およびアプリケーションテープ１２の長さは、粘着テープ６と同じであり、かつ、その幅は粘着テープ６よりも長く設定されている。
【００２５】
すなわち、ベースフィルム１１、粘着テープ６およびアプリケーションテープ１２を貼り合せ積層した後に、ベースフィルム１１とアプリケーションテープの２層に亘って打ち抜き加工を施すことにより、後述するガイドピン２５に挿嵌する貫通孔７が形成される。
【００２６】
実際の接続処理においては、キャリアテープ接続用ラベル１０からベースフィルム１１をめくり取って、粘着テープ６をアプリケーションテープ１２に貼り付け保持した状態でキャリアテープ接続に供される。そして、キャリアテープ１への貼り付け後にアプリケーションテープ１２をめくり取ることになる。
【００２７】
この場合、粘着テープ６が薄くて扱いにくいものであっても、アプリケーションテープ１２の両端部を持つことで、貼り付け保持した粘着テープ６が不当に曲がったり皺を発生させたりするようなことなく取り扱うことができる。したがって、キャリアテープ１への粘着テープ６の貼り付けが確実かつ容易となる。また、粘着テープ６とアプリケーションテープ１２に亘って形成した貫通孔７を治具の貼付け台２２に立設したガイドピン２５に挿嵌することにより、キャリアテープ１への粘着テープ６の位置合わせが容易に行える。
【００２８】
なお、粘着テープ６は、キャリアテープ１の幅に応じた複数種類を有する。これに対して、アプリケーションテープ１２は、治具のガイドピン２５に挿嵌して位置決めするために、位置決めピンから後述するガイド部での折り曲げ長さを考慮した固定サイズに設定されている。
【００２９】
〔キャリアテープ接続治具〕
図４から図７にキャリアテープ接続治具２０の一例が示されている。
【００３０】
本実施のキャリアテープ接続治具２０は、図５に示すように、作業台などに載置されて手動で接続操作を行うよう構成されている。すなわち、当該キャリアテープ接続治具２０は、アタッチメント２１、貼付け台２２およびクランプ機構２７などから構成せれている。
【００３１】
アタッチメント２１は、キャリアテープ１の幅より大きい前後幅を有する横長のブロック状に構成されている。また、アタッチメント２１の上面側に、キャリアテープ１を載置する段部２３ａが長手方向に沿って形成されている。また、幅方向に沿って幅広の段部２３ｂが形成されている。
【００３２】
当該段部２３ａは、キャリアテープ１の幅より僅か大きく、かつ、載置するキャリアテープ１の厚みと略同じ深さに設定されている。なお、アタッチメント２１の外形のうち段部２３の深さおよび幅は固定であるが、段部２３の幅および深さは、キャリアテープ１の仕様によって適宜に変更された複数種類が存在する。
【００３３】
当該段部２３ｂは、キャリアテープ接続用フィルム１０およびアプリケーションテープ１２の幅より僅かに広く設定されている。その高さは、段部２３ａにキャリアテープ１を載置したとき、当該キャリアテープ１の表面と同じになるよう設定されている。
【００３４】
貼付け台２２は、キャリアテープ１の幅より大きい前後幅を有する横長のブロック状に構成されている。また、当該貼付け台２２の長手方向に沿って凹部２４が形成されている。当該凹部２４にアタッチメント２３が装着される。
【００３５】
貼付け台２２の上面に、アプリケーションテープ１２を位置きめする２本のガイドピン２５が立設されている。また、貼付け台２２は、側壁の一部に切欠き２６が形成されており、アタッチメント２１の段部２３側の側面が露出するよう構成されている。この切欠き２６は、アプリケーションテープ１２の幅よりも僅かに大きく設定されている。すなわち、アタッチメント２１を横切ってはみ出るアプリケーションテープ１２を当該切欠き２６に導いて折り曲げることにより、添設されている粘着テープ６をキャリアテープ１の側辺に貼り付けことができるよう構成されている。なお、当該切欠き２６は、本発明のガイド部に相当する。
【００３６】
クランプ機構２７は、貼付け台２２の上面のガイドピン２５を挟んだ位置に、アタッチメント２１に載置したキャリアテープ１を押えつけて保持する一対のテープ押さえ２８が配備されている。当該テープ押さえ２８は、図７に示すように、貼付け台２２の上面に連結されたヒンジ２９に前向き片持ち状に取り付けられている。また、テープ押さえ２８は、ヒンジ支軸ｐ周りに揺動可能に支持されている。なお、テープ押さえ２８のキャリアテープ１との当接面は、弾性体３０を有する。
【００３７】
したがって、テープ押さえ２８を手動で個々に強制的に振り上げ開放することにより、貼付け台２２上への左右のキャリアテープ１およびアプリケーションテープ１２の搬入、あるいは、接続処理の済んだキャリアテープ１の搬出を行うことができる。キャリアテープ１を搬入して位置決めした後は、テープ押さえ２８を振り下げることにより、キャリアテープ１を貼付け台２２の上面に押し付けて浮き上がりなく保持することができるよう構成されている。
【００３８】
本発明に係るキャリアテープ接続治具２０は以上のように構成されており、以下にそのキャリアテープ接続処理について説明する。
【００３９】
（１）図５および図６に示すように、テープ押さえ２８を振り上げ貼付け台２２の凹部２４を開放する。使用するキャリアテープ１のサイズに応じたアタッチメント２１を選択し、凹部２４に装着する。
【００４０】
（２）図８に示すように、接続処理するキャリアテープ１を供給する。このとき、キャリアテープ１の端部同士が互いに突き合わされた状態に位置決めする。
【００４１】
（３）次に、ベースフィルム１１を剥離し、下面に粘着テープ６を貼付け保持したアプリケーションテープ１２を供給する。つまり、一対のガイドピン２５にアプリケーションテープ１２の貫通孔７を挿嵌して位置決めし、キャリアテープ１の突き合わせ箇所にアプリケーションテープ１２を重ね置きして粘着テープ６を貼り付ける。このとき、アプリケーションテープ１２の自由端は、キャリアテープ１からはみ出して切欠き２６に位置する。そこで、図９および図１０に示すように、さらにアプリケーションテープ１を下方に折り曲げることにより、キャリアテープ１の側辺ｔにも粘着テープ６が貼り付けられる。
【００４２】
（４）粘着テープ６の貼り付けが終了すると、アプリケーションテープ１２をめくり取る。すなわち、アプリケーションテープ１２の粘着力は比較的小さく、かつ、が剛性の大きいもの（例えばＰＥＴ）を選択しているので、上記のように切欠き２６で折り曲げられたアプリケーションテープ１２は、折り曲げ作用の解除に伴って伸展復帰する。したがって、キャリアテープ１の裏面側に貼り付けられた粘着テープ６からアプリケーションテープ１２が勝手にめくれ上がることになる。したがって、キャリアテープ１からのアプリケーションテープ１２の剥離が容易に行えるようになっている。さらに、図１１に示すように、端辺ｔからはみ出る粘着テープ６を折り返すことにより、キャリアテープ１の裏面側の一部にも貼り付けることができる。なお、粘着テープ６のはみ出し長さは、端辺ｔまで貼り付ける長さに止めてもよい。
【００４３】
（５）アプリケーションテープ１２をめくり取りが終了すると、テープ押さえ２８をバネ付勢に抗して振り上げる。この状態でキャリアテープ１をアタッチメント２１から取り出す。
【００４４】
上記キャリアテープ貼付治具２０によれば、貼付け台２２に形成された凹部２４に、キャリアテープ１の外形に応じたアタッチメント２１をセットすることにより、複数仕様のキャリアテープ１の端部同士を突き合わせて容易に接続することができる。また、
１回の貼り付け動作によって、キャリアテープ１の表面と側辺ｔとにわたって粘着テープ６が貼り付けられる。したがって、粘着テープ６をＬ字状に折り曲げてキャリアテープ１の表面と側辺に貼り付けることにより、従来のように２回の貼り付け動作に分けてキャリアテープの表面と裏面に粘着テープを貼り付ける場合に比べて、貼り付け時間を短縮することができるとともに、接続強度も十分なものにできる。すなわち、当該接続形態は、キャリアテープ１の曲げ応力に抗する強度を持たせることができる。
【００４５】
本発明は、以下のような形態で実施ることもできる。
【００４６】
（１）上記実施例において、アタッチメント２１を貼付け台２２の側面からスライド挿入可能な構成であってもよい。例えば、図１２に示すように、アタッチメント２１ａ側に段部２３ｂおよびガイドピン２５を設けておく。また、テープ押さえ２８ａは、板バネ状であって、貼付け台２２にネジ止めされており、当該ネジ周りに旋回するよう構成すればよい。
【００４７】
（２）上記実施例において、キャリアテープ１は、図１３に示すように、電子部品３の厚みより薄く、かつ、表面に当該電子部品３を収納する凹部２が形成され、かつ、裏面から当該凹部が突き出た凸形状を有するエンボステープ１Ａであってもよい。
【００４８】
上記実施例装置において、当該エンボステープ１Ａを利用する場合、アタッチメント２１ｂは、図１４に示すように、キャリアテープ１２の一側辺側を支持する段部３１および凸部を支持する段部３２をそれぞれ設けいればよい。
【００４９】
なお、キャリアテープ１２の幅は規格化されており、凸部の厚みは電子部品３のサイズに応じて任意に変更されるので、段部３１の載置面を昇降可能なプレートに構成してもよい。例えば、図１５に示すように、段部３１とプレート３３の間にバネや樹脂などの弾性体３４を設けてプレート３２ａを上向きに付勢する。したがって、キャリアテープ接続部位に粘着テープ６を貼り付けるとき、当該上向き付勢力に抗してエンボステープ１Ａに粘着テープ６を貼り付けることにより、適度な押圧を付与しながらキャリアテープ接続部位に粘着テープ６を貼り付けることができる。
【００５０】
また、別実施形態として、図１６に示すように、凸部を支持する段部３１とキャリアテープ１を支持する段部を固定ブロック３５と移動ブロック３６とによって構成し、固定ブロック３５に対して移動ブロック３６が上下動するように構成してもよい。なお、移動ブロック３６は、貼付け台２２に備わったアクチュエータによって昇降させられる。
【００５１】
さらに、別実施形態として、
【００５２】
（３）上記各実施例で使用するアプリケーション接続用フィルム１０は、貼付け時の位置決めの都合上、幅を一定にすればよいので、長さついては変更が容易となる。また、前後端の形状も直線に限らず、図１７（ａ）および図１７（ｂ）に示すように、丸みをおびていてもよいし、または、三角形上であってもよい。
【００５３】
また、アプリケーションテープに形成される位置決め孔は、孔に限らず、位置決めピンを係合できる形状であればよい。例えば、図１８（ａ）および図１８（ｂ）に示すように、前後または横方向から位置決めピン２５を係合可能にする切り欠であってもよい。
【００５４】
さらに、粘着テープ６は、キャリアテープ１２の送り孔と合致する孔を有してもよい。
【符号の説明】
【００５５】
１  …  キャリアテープ
５  …  送り孔
６  …  粘着テープ
７  …  貫通孔
１２  …  アプリケーショテープ
２０  …  キャリアテープ接続治具
２１  …  アタッチメント
２２  …  貼付け台
２３  …  段部
２４  …  凹入部
２５  …ガイドピン
２８  …  テープ押さえ
ｔ  …  キャリアテープの側辺
【図１】
2016001649.tif 000003
【図３】
2016001649.tif 000004
【図４】
2016001649.tif 000005
【図５】
2016001649.tif 000006
【図６】
2016001649.tif 000007
【図７】
2016001649.tif 000008
【図８】
2016001649.tif 000009
【図９】
2016001649.tif 000010
【図１０】
2016001649.tif 000011
【図１１】
2016001649.tif 000012
【図１２】
2016001649.tif 000013
【図１３】
2016001649.tif 000014
【図１４】
2016001649.tif 000015
【図１５】
2016001649.tif 000016
【図１６】
2016001649.tif 000017
【図１７】
2016001649.tif 000018
【図１８】
2016001649.tif 000019
【図２】
2016001649.tif 000020